(57)【要約】【課題】輸液について、異常である場合に的確に報知する。【解決手段】輸液チューブ１１を流れる液体の流量を調整制御する輸液調整制御システムによる輸液の監視を行う輸液監視システムにおいて、前記輸液調整制御システムによる液体の流れ状態を検出する検出手段である圧力センサ１３と、前記検出手段による検出結果情報を送信するローカル側送信手段と、前記検出結果情報を受信するセンタ側受信手段と、前記輸液調整制御システムによる輸液に関し、少なくとも終了通知の情報を監視すると共に、この監視結果と前記センタ側受信手段により受信された検出結果情報とに基づき輸液異常を検出し、異常報知出力を行う異常出力手段と、前記異常出力手段からの出力を受けて輸液異常の表示を行う表示手段とを具備する。【選択図】図１
2016002248.tif 000002
【特許請求の範囲】
【請求項１】
輸液チューブを流れる液体の流量を調整制御する輸液調整制御システムによる輸液の監視を行う輸液監視システムにおいて、
前記輸液調整制御システムによる液体の流れ状態を検出する検出手段と、
前記検出手段による検出結果情報を送信するローカル側送信手段と、
前記検出結果情報を受信するセンタ側受信手段と、
前記輸液調整制御システムによる輸液に関し、少なくとも終了通知の情報を監視すると共に、この監視結果と前記センタ側受信手段により受信された検出結果情報とに基づき輸液異常を検出し、異常報知出力を行う異常出力手段と、
前記異常出力手段からの出力を受けて輸液異常の表示を行う表示手段と
を具備することを特徴とする輸液監視システム。
【請求項２】
前記輸液調整制御システムによる輸液に関し、終了通知情報と終了予定時刻情報の少なくとも一方が記憶されるデータベースを有し、
前記異常出力手段は、前記センタ側受信手段により受信された検出結果情報と前記データベースに記憶された情報とに基づき輸液異常を検出し、異常報知出力を行うことを特徴とする請求項１に記載の輸液監視システム。
【請求項３】
前記輸液チューブにおける輸液を停止可能な位置に設けられ、前記輸液チューブを開閉するクランプ手段と、
前記異常出力手段からの出力を受けて前記クランプ手段による輸液チューブの閉塞を実現するクランプ制御手段と
を具備することを特徴とする請求項１または２に記載の輸液監視システム。
【請求項４】
前記データベースには、前記輸液調整制御システムによる輸液に関し、開始通知情報と開始予定時刻情報の少なくとも一方が記憶されることを特徴とする請求項１乃至３のいずれか１項に記載の輸液監視システム。
【請求項５】
データベースを有し、
終了通知情報は、前記輸液調整制御システムにおいて輸液が終了したことを、医療従事者または前記輸液調整制御システムから通知して、前記データベースに記憶することを特徴とする請求項１乃至４のいずれか１項に記載の輸液監視システム。
【請求項６】
前記輸液調整制御システムにおいて輸液を開始したことを、医療従事者または前記輸液調整制御システムから開始通知情報として通知することを特徴とする請求項１乃至５のいずれか１項に記載の輸液監視システム。
【請求項７】
前記データベースに、開始予定時刻情報と終了予定時刻情報を予め記憶しておくと共に、
医療従事者または前記輸液調整制御システムから、開始通知情報と終了通知情報が通知された場合に、
前記異常出力手段は、端末から入力された情報とデータベースに記憶された情報に基づき輸液異常を検出し、異常報知出力を行うことを特徴とする請求項１乃至６のいずれか１項に記載の輸液監視システム。
【請求項８】
前記輸液調整制御システムは複数設けられ、それぞれが識別情報及び／またはアドレスにより管理されることを特徴とする請求項１乃至７のいずれか１項に記載の輸液監視システム。
【請求項９】
輸液チューブを流れる液体の流量を調整制御する輸液調整制御システムと、
請求項１乃至８のいずれか１項に記載の輸液監視システムと
を具備することを特徴とする輸液監視機能付き輸液制御システム。
【発明の詳細な説明】
【技術分野】
【０００１】
この発明は、輸液チューブを流れる液体の流量を調整制御する輸液調整制御システムによる輸液の監視を行う輸液監視システム及び輸液監視機能付き輸液制御システムに関するものである。
【背景技術】
【０００２】
点滴などを行う場合には、輸液チューブに輸液量の調整や輸液停止を行うことができるクレンメが用いられる。クレンメは操作が簡単であり価格も安いことから、多くの輸液システムにおいて用いられている。しかしながら、操作忘れやクレンメの不具合などによって、輸液開始や終了が適切に行われないケースがあり、このために種々の対策がとられている。
【０００３】
輸液チューブを流れる液体の流量を調整制御する輸液調整制御システムには、クレンメによるもの以外に、輸液ポンプを用いて行うものや、輸液チューブを挟圧して自動的に流量を調整する自動輸液装置など、人によらないシステムも知られている。しかし、自動の輸液調整制御システムにあっても、フリーフローが生じるケースがあり、また、輸液の開始または終了が適切に行われない場合があり、これらの対策が求められる。
【０００４】
特許文献１には、流量センサを用いて薬剤の投与を監視するシステムが記載されている。また、特許文献２には、輸液ポンプを用いた輸液調整制御システムにおいて、ポンプドアの開放を原因とするフリーフローが検出されたときに輸液チューブを閉塞する輸液安全装置が開示されている。
【先行技術文献】
【特許文献】
【０００５】
【特許文献１】特表２０１１−５０８２１６号公報
【特許文献２】特開２００７−２２２４８５号公報
【発明の概要】
【発明が解決しようとする課題】
【０００６】
上記特許文献１では、フリーフローなどの場合に異常を知らせるものではなく、あくまでもシステムが自動的に流量制御を行うというものである。
【０００７】
また、特許文献２の発明によれば、輸液ポンプドアの開放などを原因としたフリーフローに対処できるものの、操作忘れやシステムの不具合による輸液の未終了などに対応することはできない。
【０００８】
本発明は、上記のような輸液調整制御システムの現状に鑑みてなされたもので、その目的は、輸液チューブを流れる液体の流量を調整制御する輸液調整制御システムによる輸液について、人のミスであるか機械の不具合であるかに関わりなく、異常である場合に的確に報知することができ、安全で安定的に輸液を行うことを可能とする輸液監視システムを提供することである。また、輸液監視システムを用いて構成した上記輸液監視機能付き輸液制御システムを提供することを目的とする。
【課題を解決するための手段】
【０００９】
本発明に係る輸液監視システムは、輸液チューブを流れる液体の流量を調整制御する輸液調整制御システムによる輸液の監視を行う輸液監視システムにおいて、前記輸液調整制御システムによる液体の流れ状態を検出する検出手段と、前記検出手段による検出結果情報を送信するローカル側送信手段と、前記検出結果情報を受信するセンタ側受信手段と、前記輸液調整制御システムによる輸液に関し、少なくとも終了通知の情報を監視すると共に、この監視結果と前記センタ側受信手段により受信された検出結果情報とに基づき輸液異常を検出し、異常報知出力を行う異常出力手段と、前記異常出力手段からの出力を受けて輸液異常の表示を行う表示手段とを具備することを特徴とする。
【００１０】
本発明に係る輸液監視システムでは、前記輸液調整制御システムによる輸液に関し、終了通知情報と終了予定時刻情報の少なくとも一方が記憶されるデータベースを有し、前記異常出力手段は、前記センタ側受信手段により受信された検出結果情報と前記データベースに記憶された情報とに基づき輸液異常を検出し、異常報知出力を行うことを特徴とする。
【００１１】
本発明に係る輸液監視システムでは、前記輸液チューブにおける輸液を停止可能な位置に設けられ、前記輸液チューブを開閉するクランプ手段と、前記異常出力手段からの出力を受けて前記クランプ手段による輸液チューブの閉塞を実現するクランプ制御手段とを具備することを特徴とする。
【００１２】
本発明に係る輸液監視システムでは、前記データベースには、前記輸液調整制御システムによる輸液に関し、開始通知情報と開始予定時刻情報の少なくとも一方が記憶されることを特徴とする。
【００１３】
本発明に係る輸液監視システムでは、データベースを有し、終了通知情報は、前記輸液調整制御システムにおいて輸液が終了したことを、医療従事者または前記輸液調整制御システムから通知して、前記データベースに記憶することを特徴とする。
【００１４】
本発明に係る輸液監視システムでは、前記輸液調整制御システムにおいて輸液を開始したことを、医療従事者または前記輸液調整制御システムから開始通知情報として通知することを特徴とする。
【００１５】
本発明に係る輸液監視システムでは、前記データベースに、開始予定時刻情報と終了予定時刻情報を予め記憶しておくと共に、医療従事者または前記輸液調整制御システムから、開始通知情報と終了通知情報が通知された場合に、前記異常出力手段は、端末から入力された情報とデータベースに記憶された情報に基づき輸液異常を検出し、異常報知出力を行うことを特徴とする。
【００１６】
本発明に係る輸液監視システムでは、前記輸液調整制御システムは複数設けられ、それぞれが識別情報及び／またはアドレスにより管理されることを特徴とする。
【００１７】
本発明に係る輸液監視機能付き輸液制御システムは、輸液チューブを流れる液体の流量を調整制御する輸液調整制御システムと、請求項１乃至８のいずれか１項に記載の輸液監視システムとを具備することを特徴とする。
【発明の効果】
【００１８】
本発明によれば、輸液チューブを流れる液体の流量を調整制御する輸液調整制御システムによる輸液の監視を行う輸液監視システムにおいて、前記輸液調整制御システムによる液体の流れ状態を検出する検出手段と、前記検出手段による検出結果情報を送信するローカル側送信手段と、前記検出結果情報を受信するセンタ側受信手段と、前記輸液調整制御システムによる輸液に関し、少なくとも終了通知の情報を監視すると共に、この監視結果と前記センタ側受信手段により受信された検出結果情報とに基づき輸液異常を検出し、異常報知出力を行い、前記異常出力手段からの出力を受けて輸液異常の表示を行うので、人のミスであるか機械の不具合であるかに関わりなく、異常である場合に的確に報知することができる。
【図面の簡単な説明】
【００１９】
【図１】本発明の輸液監視システム及び輸液監視機能付き輸液制御システムの実施形態の構成図。
【図２】本発明の輸液監視システムの実施形態において用いられるクレンメの斜視図。
【図３】本発明の輸液監視システムの実施形態において用いられるクランプ手段を示す図であり、(a) はロック状態の側面図、(b) はクランプ状態の側面図、(c) はアーム側から見た正面図。
【図４】本発明の輸液監視システムの実施形態において用いられるクランプ制御手段を示す図であり、（ａ）はロック状態の構成図、（ｂ）はロック解除状態の構成図。
【図５】本発明の輸液監視システムの実施形態において用いられるベッドサイドモニタの構成図。
【図６】本発明の輸液監視システムの実施形態において用いられるデータベースの記憶内容の一例を示す図。
【図７】本発明の輸液監視システムの実施形態において用いられるセンタサーバの中央制御装置の構成図。
【図８】本発明の輸液監視システムの実施形態において用いられるセントラルモニタとパーソナルデバイスの構成図。
【図９】本発明の輸液監視システムの実施形態の動作を示すフローチャート。
【図１０】本発明の輸液監視システムの第２の実施形態の要部構成図。
【図１１】本発明の輸液監視システムの第３の実施形態の要部構成図。
【発明を実施するための形態】
【００２０】
以下添付図面を参照して、本発明の輸液監視システム及び輸液監視機能付き輸液制御システムの実施形態を説明する。各図において、同一の構成要素には同一の符号を付して重複する説明を省略する。図１に輸液監視システムの実施形態を示す。この輸液監視システムでは、例えば病室１０内には、輸液チューブ１１の上流側に、点滴液などの液体が入れられたガラス瓶や合成樹脂バックの容器が設けられている。輸液チューブ１１には、クレンメ１２が装着される。
【００２１】
クレンメ１２は、輸液チューブ１１を流れる液体の流量を調整するものであり、輸液チューブ１１を流れる液体の流量を調整制御する輸液調整制御システムを構成する。この実施形態では、輸液調整制御システムをクレンメ１２によって構成するが、輸液調整制御システムとして、クレンメによるもの以外に、輸液ポンプを用いて行うものや、輸液チューブを挟圧して自動的に流量を調整する自動輸液装置など、人によらないシステムなども採用することができる。クレンメ１２は、例えば図２に示すように構成することができる。つまり、輸液チューブ１１が配置される筒孔部２１を有する筐体２２に、ローラ２３が設けられた構成とすることができる。ローラ２３の軸受溝２４は、例えば下方に向かって移動するに従って筒孔部２１内の輸液チューブ１１に近付くように傾斜して形成されている。このため、ローラ２３を回転させて下方へ移動させると、輸液チューブ１１が徐々に押し潰されて液体の流量が少なくなり、最終的には輸液チューブ１１を閉塞させて液体の流れを止めることが可能な構成となっている。
【００２２】
図１に示すように、本実施形態では、上記クレンメ１２による液体の流れ停止を検出する検出手段として、圧力センサ１３が上記クレンメ１２のローラ２３によって輸液チューブ１１が閉塞される位置の近傍に設けられている。検出手段としては、圧力センサ１３以外に流量を検出するセンサであれば、特に限定はない。
【００２３】
クレンメ１２の上流または下流の、輸液チューブ１１における輸液を停止可能な位置に、輸液チューブ１１を開閉するクランプ手段１４が設けられている。更に、クランプ手段１４による輸液チューブの閉塞を実現するクランプ制御手段１５が設けられている。
【００２４】
クランプ手段１４及びクランプ制御手段１５は、図３、図４に示すように構成することができるが、これ以外の構成であっても良い。図３に示すように、クランプ手段１４及びクランプ制御手段１５は、枠体２５に輸液チューブ１１を挿入させる空間２６を有し、空間２６の中央部に先端が突起２７Ａを有するアーム２７が設けられた構造を有している。アーム２７の基部は回転軸２７Ｂを構成する。アーム２７は、枠体２５の垂直な側壁となるロック位置（図３（ａ））と、枠体２５の内側へ突起２７Ａが移動して全体が傾斜したクランプ位置（図３（ｂ））との間をバネ２９の付勢力で移動する。アーム２７の突起２７Ａの両サイドは、枠体２５の一部である天枠部２８となっており、天枠部２８とアーム２７の間には間隙が設けられている
【００２５】
クランプ制御手段１５は、例えば図４に示すように構成することができる。突起２７Ａの一端側には、回転軸２７Ｂの軸方向にクランプ制御手段１５のスライド孔３１が形成される。このスライド孔３１には、スライド孔３１内を移動する第１のピン３２と、第１のピン３２に隣接する第２のピン３３が設けられている。第１のピン３２の、第２のピン３３とは逆側には、クランプ制御手段１５であるアクチュエータ３４が、筒状の室３５内における図の上下方向に移動可能に設けられている。アクチュエータ３４は平面形状が三角形の三角柱の磁性体であり、例えば電磁石３６によって移動させられる。
【００２６】
ソレノイドへの通電がオフで、電磁石３６が磁石として機能しないときには、アクチュエータ３４が図４（ａ）の位置にある。これによって第２のピン３３が、アーム２７と天枠部２８の間隙に存在した状態で、スライド孔３１内に存在し、アーム２７が枠体２５の垂直な側壁となるロック位置にある。
【００２７】
ソレノイドへの通電がオンとなると、電磁石３６が磁石として機能し、アクチュエータ３４が図４（ｂ）の矢印に示すように移動させられて、第１のピン３２と第２のピン３３の間隙が、アーム２７と天枠部２８の間隙と一致する。これによって、アーム２７のロックが解除されクランプ位置へ到り、輸液チューブ１１を閉塞する。
【００２８】
この実施形態では、輸液調整制御システムをクレンメ１２によって構成するが、図１０に示すようにクレンメ１２に代えて、輸液ポンプを用いて構成した輸液調整制御システム１６を採用しても良い。或いはクレンメ１２に代えて図１１に示す自動輸液装置１７を輸液調整制御システムとして用いるものであっても良い。この自動輸液装置１７は、輸液チューブを挟圧して自動的に流量を調整する構成を採用することができる。
【００２９】
図１に示すように、圧力センサ１３、クランプ制御手段１５が監視制御部４０に接続されている。監視制御部４０は、検出手段である圧力センサ１３による検出結果情報をセンタサーバ５０へ送信するローカル側送信手段を構成する。ここで検出結果情報は、圧力センサ１３が検出した圧力に基づき輸液チューブ１１の液体が流れているか停止しているかを示す情報とすることができる。また、図１０のように輸液ポンプを用いて構成した輸液調整制御システム１６の動作状態情報（動作開始、動作終了、動作中の情報）や図１１の自動輸液装置１７動作状態情報も、このローカル側送信手段によりセンタサーバ５０へ送信される。上記送信のタイミングは、所定時間毎とすることができる。
【００３０】
監視制御部４０は、例えば、図５に示すように構成することができる。ＣＰＵなどにより構成される中央制御部４１に、通信インタフェース４２、ＬＡＮインタフェース４３、表示部４４、電源部４５、警報出力部４６が構成される。通信インタフェース４２は、圧力センサ１３、クランプ制御手段１５、図１０の構成では輸液調整制御システム１６や図１１の構成では自動輸液装置１７と接続され、情報を送受するものである。ＬＡＮインタフェース４３は、センタなどの装置とネットワーク通信を行うためのインタフェースである。中央制御部４１は、通信インタフェース４２を介して圧力センサ１３の情報、図１０の構成では輸液調整制御システム１６や図１１の構成では自動輸液装置１７の動作状態情報などを例えば所定時間毎に取り込み、この情報をＬＡＮインタフェース４３を介して後述するセンタサーバ５０へ送出する。
【００３１】
表示部４４は、監視制御部４０の動作中を表示し、警報表示を行うこともできる。電源部４５は、各部へ電力を供給する電池などにより構成することができる。警報出力部４６は、音声や光などで警報出力を行うことができる。
【００３２】
図１に示すように、輸液監視システムには、センタサーバ５０が設けられている。センタサーバ５０は、医療に関連した情報を管理して必要な制御を行うものであり、中央制御装置５１にデータベース５２とＬＡＮインタフェース５３が接続された構成を有している。データベース５２には、このシステムに用いる各種の医療情報が蓄積される。ＬＡＮインタフェース５３は、各種の情報の送受信を行い、センタ側受信手段として機能する。
【００３３】
データベース５２には、本実施形態では図６の上部に示すように、クレンメ情報テーブルが設けられている。図１０の構成や図１１の構成を採用した場合には、輸液調整制御システム１６や自動輸液装置１７などのシステムに対応して図６の下部に示すように、システム情報テーブルが設けられる。クレンメ情報テーブルには、複数設けられているクレンメ毎の識別情報とアドレスとに対応して、輸液の開始予定時刻情報と開始通知情報が記憶されるように構成され、更に輸液の終了予定時刻情報と終了通知情報が記憶されるように構成されている。輸液の開始監視を行わないシステムでは、輸液の開始予定時刻情報と開始通知情報が記憶されることはない。また、予定時刻との比較を行わないシステムでは、輸液の開始予定時刻情報や終了予定時刻情報が記憶されることはない。また、監視制御部４０から送られてくる圧力センサ１３の検出結果情報も対応して記憶される。ここでは、圧力センサ１３の検出結果情報は、クレンメ１２によって輸液チューブ１１が開閉のいずれとされているかという輸液チューブ開閉情報とする。開始通知情報と終了通知情報は、医療従事者が操作する端末であるパーソナルデバイス７０から送られる通知情報とすることができ、この通知情報を受け取ったときには、中央制御装置５１が受け取った時の時刻情報を通知情報と共に記憶することができる。
【００３４】
システム情報テーブルには、複数の輸液調整制御システム１６や自動輸液装置１７などのシステム毎の識別情報とアドレスとに対応して、輸液の開始予定時刻情報が記憶され、更に輸液の終了予定時刻情報が記憶される。また、開始通知情報と終了通知情報は、図１０の構成や図１１の構成を採用した場合に、輸液調整制御システム１６や自動輸液装置１７などから監視制御部４０を介して送られる通知情報とすることができ、この通知情報を受け取ったときには、中央制御装置５１が受け取った時の時刻情報を通知情報と共に記憶することができる。更に、現在の動作／非動作情報も複数の輸液調整制御システム１６や自動輸液装置１７毎の識別情報とアドレスとに対応して記憶される。
【００３５】
図７に示すように、中央制御装置５１には、例えばプログラムによって中央制御装置５１が実現する異常出力手段５１１が備えられている。異常出力手段５１１は、少なくとも終了通知情報の監視を行い、センタ側受信手段であるＬＡＮインタフェース５３により受信された検出結果情報と少なくとも終了通知情報の監視結果とに基づき輸液異常を検出し、異常報知出力を行うものである。異常出力手段５１１は、センタ側受信手段であるＬＡＮインタフェース５３により受信された検出結果情報と前記データベース５２の記憶情報とに基づき輸液異常を検出し、異常報知出力を行うように構成することができる。
【００３６】
輸液異常とは、例えば、次のような状態を挙げることができる。検出結果情報が輸液チューブ１１の液体が流れていることを示す場合に、開始通知情報が通知されていない、開始予定時刻情報の時刻以前である、終了通知情報が通知されている、終了予定時刻情報の時刻以降である、が検出されたとき。検出結果情報が輸液チューブ１１の液体の流れが停止していることを示す場合に、終了通知情報が通知されていない、終了予定時刻情報の時刻以前である、開始通知情報が通知されている、開始予定時刻情報の時刻以降である、が検出されたとき。
【００３７】
また、次のときにも輸液異常と判定することができる。輸液の開始予定時刻情報と通知された輸液の開始通知情報の時刻が相違していること、更に輸液の終了予定時刻情報と通知された輸液の終了通知情報の時刻が相違していること。更に、輸液の開始予定時刻情報と輸液の終了予定時刻情報の記憶が無い場合に、輸液の開始通知情報が登録された場合である。その他、異常な場合を定義して用いることができる。
【００３８】
前述の監視制御部４０の表示部４４や警報出力部４６は、上記異常出力手段５１１からの出力を受けて輸液異常の表示を行う表示手段として機能することができる。また前述のクランプ制御手段１５は、異常出力手段５１１からの出力を受けて前述のクランプ手段１４による輸液チューブ１１の閉塞を実現することができる。
【００３９】
図１に示すように、例えばナースステーションなどには、セントラルモニタ６０を配置することができる。また、看護師などの医療従事者は、パーソナルデバイス７０を持つことができる。セントラルモニタ６０とパーソナルデバイス７０は、図８に示すように構成することができる。プロセッサなどにより構成される中央処理部６１に、ＬＡＮインタフェース６２、記憶部６３、表示部６４、操作入力部６５が接続された構成とすることができる。パーソナルデバイス７０の場合には、上記にマイクとスピーカを含む通話処理部を備えていても良い。
【００４０】
ＬＡＮインタフェース６２は、ＬＡＮにより情報の送受を行うものであり、記憶部６３には各種のプログラムやデータが格納されている。表示部６４はＬＥＤなどにより構成される情報を表示するデバイスである。操作入力部６５は、タッチパネルやキーボードその他のポインティングデバイスにより構成することができる。
【００４１】
中央処理部６１には、操作入力部６５から入力された情報やＬＡＮインタフェース６２を介して到来する情報を表示部６４に表示する表示制御手段６１１が備えられる。また、中央処理部６１には、操作入力部６５から入力された情報などを取り込む入力取込手段６１２、取り込んだ情報をＬＡＮインタフェース６２を介して送信する端末側送信手段６１３が備えられている。
【００４２】
センタサーバ５０の中央制御装置５１に備えられた異常出力手段５１１は、セントラルモニタ６０やパーソナルデバイス７０などの端末から入力され送信された終了通知情報や開始通知情報とデータベース５２に記憶された情報に基づき輸液異常を検出し、異常報知出力を行うように機能する。また、医療計画などに基づき、セントラルモニタ６０などの端末からクレンメ毎の輸液の開始予定時刻情報や輸液の終了予定時刻情報、更には複数の輸液調整制御システム１６や自動輸液装置１７毎に、輸液の開始予定時刻情報と終了予定時刻情報を予め入力して、センタサーバ５０へ送り、データベース５２へ記憶しておくこともできる。予定の記憶はオーバーライトにより変更することができ、この変更はセントラルモニタ６０などの端末からの入力によって行うことができる。
【００４３】
更に、医療従事者が各クレンメ１２をマニュアル操作して輸液開始または終了したときに、医療従事者が操作する端末であるパーソナルデバイス７０から、輸液の開始通知情報または終了通知情報を入力してセンタサーバ５０へ送り、上記データベース５２に記憶することもできる。また、医療従事者が複数の輸液調整制御システム１６や自動輸液装置１７の各システムを操作して輸液を開始または終了したときに、医療従事者が操作する端末であるパーソナルデバイス７０から、それぞれのシステムにおける輸液の開始通知情報または終了通知情報を入力して、センタサーバ５０へ通知し、上記データベース５２に記憶することもできる。更に、複数の輸液調整制御システム１６や自動輸液装置１７のそれぞれが、輸液を開始または終了したときに、それぞれのシステムが自動的に輸液の開始通知情報または終了通知情報をセンタサーバ５０へ送り、上記データベース５２に記憶することもできる。
【００４４】
監視制御部４０、センタサーバ５０、セントラルモニタ６０、パーソナルデバイス７０は、無線または有線或いは有線と無線の混合のネットワーク８０により接続される。また、監視制御部４０、センタサーバ５０、セントラルモニタ６０、パーソナルデバイス７０は、複数設けられていても良い。更に、図１の病室１０内の構成は一つの輸液チューブ１１に対する構成を示しており、輸液チューブ１１が複数であるときには、それぞれの輸液チューブ１１毎に複数セット設けることができる。
【００４５】
以上のように構成された輸液監視システムの動作を説明する。先に、図１に示したクレンメ１２による輸液調整制御システムの場合を説明する。医療従事者が各クレンメの操作に基づき輸液を開始または終了したときに、輸液の開始通知情報または終了通知情報がパーソナルデバイス７０から送られ、センタサーバ５０に到来する。センタサーバ５０は上記開始通知情報または終了通知情報を受け取り、上記データベース５２に記憶し、図９に示すフローチャートに対応するプログラムを実行する。
【００４６】
また、図１０の輸液調整制御システム１６や図１１の自動輸液装置１７による輸液調整制御システムの場合も同様に動作が行われる。システム輸液調整制御を操作してシステムの動作開始または終了となったときに、それぞれシステムから或いはパーソナルデバイス７０から輸液の開始通知情報または終了通知情報の情報がセンタサーバ５０へ送られる。センタサーバ５０はこれを受け取り、上記データベース５２に記憶し、図９に示すフローチャートに対応するプログラムを実行する。また、センタサーバ５０の中央制御装置５１は、所定時間間隔で図９に示すフローチャートのプログラムを起動させ、輸液監視を行うことができる。
【００４７】
以下、図９に示すフローチャートに基づき動作を説明する。センタサーバ５０の中央制御装置５１は、情報を受け取ったかまたは所定時刻となったかを判定し（Ｓ１０）、情報を受け取った場合には、受け取った情報に対応するデータベース５２の情報と比較する（Ｓ１１）。受け取った情報がクレンメの情報（図１の監視制御部４０からの検出結果情報、開始通知情報、終了通知情報）であれば、データベース５２のクレンメ情報テーブルを受け取ったクレンメ情報の識別情報（或いはアドレス）により検索し、既に登録してある情報と比較する。
【００４８】
また、受け取った情報が図１０の輸液調整制御システム１６や図１１の自動輸液装置１７による輸液調整制御システムに関する情報（図１０、図１１の監視制御部４０からの検出結果情報、開始通知情報、終了通知情報）であれば、データベース５２のシステム情報テーブルを、受け取ったシステムの識別情報により検索し、既に登録してある情報と比較する。
【００４９】
上記のようにしてステップＳ１１で比較を行うことにより、輸液異常であるか否かを検出する（Ｓ１２）。輸液異常であるか否かは、既に例示した通りである。この場合、（開始または終了）予定時刻情報と通知情報（開始または終了）の到来時刻の相違や一致は、厳密に時刻が相違・一致していなくとも、所定時間のマージンを持たせても良い。上記ステップＳ１２において輸液異常であることが検出されると、センタサーバ５０の中央制御装置５１は、異常出力手段５１１として異常報知出力を送出する（Ｓ１３）。この異常報知出力は、特定の監視制御部４０や特定のパーソナルデバイス７０のアドレス、更には、特定のセントラルモニタ６０のアドレスを付加して送出しても良いが、ブロードキャストにより送ることもできる。
【００５０】
これにより、異常報知出力を受けた所定端末等では、輸液異常の表示を行う。輸液異常の表示内容としては、「予定より早く（或いは「遅く」）輸液が開始（或いは「終了」）致しました」、または、「予定より早く（或いは「遅く」）輸液ポンプが動作開始（或いは「動作終了」）致しました」などとすることができる。また、監視制御部４０では、警報出力部４６から音や光による警報出力を行っても良い。
【００５１】
センタサーバ５０の中央制御装置５１は、更に、フリーフローが生じているかを検出する（Ｓ１４）。例えば、データベース５２において輸液の終了予定時刻が経過しても監視制御部４０から送られてきた検出結果情報が輸液チューブ１１の液体が流れていることを示す「開」となっているときにはフリーフローと判断することができる。或いは、輸液の終了通知情報がデータベース５２に登録されているときに、監視制御部４０から送られてきた検出結果情報が輸液チューブ１１の液体が流れていることを示す「開」となっているときには、フリーフローと判断することができる。
【００５２】
フリーフローと判断すると、センタサーバ５０の中央制御装置５１は、該当クレンメ（或いは輸液調整制御システム）のアドレスを設定したクランプ指示を内容とする異常報知出力を送信する（Ｓ１５）。これを受けた該当の監視制御部４０では、クランプ制御手段１５へクランプ指示の制御情報を送り、クランプ制御手段１５がクランプ手段１４を制御してクランプを実行する。これにより輸液チューブ１１が閉塞され輸液の流れが停止する。
【００５３】
一方、ステップＳ１０において所定時刻となったことによる起動であることが検出されると、システムが監視するクレンメ１２（或いは輸液調整制御システム）の総数Ｎをカウンタにセットし（Ｓ２１）、カウンタ値に該当するデータベース５２の欄のクレンメ或いは輸液調整制御システムにおいて輸液異常か否かを検出する（Ｓ２２）。このステップＳ２２の内容は、ステップＳ１１、Ｓ１２において説明した処理である。ステップＳ２２でＹＥＳとなると、ステップＳ１３へ進み、既に説明したような処理が行われる。
【００５４】
ステップＳ１２、Ｓ２２でＮＯとなるかステップＳ１５における処理の次には、ステップＳ１６においてカウンタの値が０かを検出し（Ｓ１６）、カウンタの値が０であればエンドとなる一方、カウンタの値が０以外であればカウンタを１ディクリメントして（Ｓ１７）、ステップＳ２２へ進む。
【００５５】
以上のようにして、所定のときには全て（Ｎ）の輸液チューブ１１の輸液監視が行われ、また、パーソナルデバイス７０からの輸液の開始通知情報や終了通知情報の送信により、該当輸液チューブ１１の輸液監視が行われ、輸液異常である場合に的確に報知がなされ、大きな事故への発展を阻止することができる。
【００５６】
なお、上記の実施形態では、クランプ制御手段１５を監視制御部４０とは別に設けたが、クランプ制御手段１５の機能を監視制御部４０が行うようにしても良い。また、輸液の開始予定時刻情報や終了予定時刻情報を用いなくとも良い。その場合には、データベース５２を設けずに、終了通知情報や開始通知情報が到来したときに、輸液チューブ１１の液体が流れているか停止しているかを示す検出結果情報を監視制御部４０から取り込んで、輸液異常を判定しても良い。また、輸液チューブ１１の液体が流れているか停止しているかを示す検出結果情報を監視制御部４０から所定時間毎に取り込んでデータベースに記憶し、終了通知情報や開始通知情報が到来したときに、輸液異常の判定を行っても良い。また、輸液終了後のフリーフローを問題にするシステムとする場合には、終了通知情報を得ると共に、この得られた情報と上記の検出結果情報とに基づき輸液異常を検出するようにしても良い。データベースには、終了通知情報と終了予定時刻情報の少なくとも一方が記憶されるようにしても良い。データベースには、開始通知情報と開始予定時刻情報の少なくとも一方が記憶されるようにしても良い。その他、本実施形態は一例に過ぎず、本発明の趣旨に沿って適宜変更できることは明かである。
【符号の説明】
【００５７】
１１    輸液チューブ
１２    クレンメ
１３    圧力センサ
１４    クランプ手段
１５    クランプ制御手段
１６    輸液調整制御システム
１７    自動輸液装置
４０    監視制御部
５０    センタサーバ
６０    セントラルモニタ
７０    パーソナルデバイス
８０    ネットワーク
【図１】
2016002248.tif 000003
【図２】
2016002248.tif 000004
【図３】
2016002248.tif 000005
【図５】
2016002248.tif 000006
【図６】
2016002248.tif 000007
【図７】
2016002248.tif 000008
【図８】
2016002248.tif 000009
【図９】
2016002248.tif 000010
【図１０】
2016002248.tif 000011
【図１１】
2016002248.tif 000012
【図４】
2016002248.tif 000013